(57)【特許請求の範囲】
【請求項１】
少なくとも映像情報を含む暗号化した所望の情報と、この所望の情報の所定数の記録トラック又は記録セクタ周期で完結する前記所望の情報の誤り訂正符号とを、ディジタル信号形態で同じ記録媒体に記録する記録方法において、
再生側で正規のユーザに対してのみ暗号を解除して再生可能とするための暗号解除情報を、前記所定数の記録トラック又は記録セクタ周期内で各トラック又は各セクタの全てに分散配置して少なくとも一つ記録することを特徴とする記録方法。
【請求項２】
前記記録媒体は磁気テープであり、前記所望の情報として映像情報を少なくとも含むディジタル信号が記録されていることを特徴とする請求項１記載の記録方法。
【請求項３】
少なくとも暗号化した映像情報が誤り訂正符号と共に固定長のデータブロック単位で予め定められたデータブロック数の各トラックに記録されているテープ状記録媒体であって、
前記誤り訂正符号は所定数のトラック周期で完結するように記録されており、前記暗号化した映像情報の暗号化を正規の再生装置で解除するための暗号解除情報が、前記誤り訂正符号の完結トラックと同じトラック単位で完結するように、前記所定数のトラック周期内で各トラックの全てに分散配置されて記録されていることを特徴とする記録媒体。
【発明の詳細な説明】
【０００１】
【発明の属する技術分野】
本発明は記録方法及び記録媒体に係り、特に記録媒体にパケット化して記録されたディジタル情報の著作権保護のための記録を行う記録方法及び情報が再生される記録媒体に関する。
【０００２】
【従来の技術】
映像情報や音声情報が記録されている記録済みの記録媒体を正規に購入したユーザのみに、当該記録媒体の記録情報を正常に再生させることができるようにすることにより、著作権の保護を図る技術の一つとして、記録情報を暗号化して記録すると共に、暗号解除情報を上記の暗号化された情報の記録領域とは異なる領域（例えば、リードイン領域）に記録しておく方法が、ディスク装置の分野では知られている。
【０００３】
従って、このディスク装置では、正規のユーザが使用する再生装置でのみ、記録媒体であるディスクから再生された暗号解除情報に基づき、暗号化されている再生情報を復号することができる。
【０００４】
【発明が解決しようとする課題】
しかるに、ディスク装置では暗号化されている情報と、暗号解除情報とが、同じディスクの異なる領域に記録されていても、ディスク装置ではランダムアクセスが可能であるので、暗号の解読は短時間で支障なく行えるが、上記の暗号化技術をＶＴＲのような磁気テープの記録再生装置に適用した場合は、暗号解除情報のアクセスに時間がかかり、特にテープ中途からの再生に支障をきたし、実用的でない。
【０００５】
また、暗号解除情報を暗号化されているコンテンツ情報と同じ領域に記録していた場合は、両者の同期が問題となり、どのエリアのコンテンツ情報とどの暗号解除情報とが対応するのかが分からなくなったり、メモリを余分に必要としたり、デコードするまでに時間がかかるといった問題が生じる。
【０００６】
本発明は以上の点に鑑みなされたもので、テープ状記録媒体に対しても、実用上支障なく、暗号化された情報の記録、再生が可能な記録方法及び記録媒体を提供することを目的とする。
【０００７】
また、本発明の他の目的は、暗号化された情報と暗号解除情報の同期のための情報を必要とすることなく、再生信号の暗号を正常に解読し得る記録媒体を提供することにある。
【０００８】
【課題を解決するための手段】
上記の目的を達成するため、本発明の記録方法は、少なくとも映像情報を含む暗号化した所望の情報と、この所望の情報の所定数の記録トラック又は記録セクタ周期で完結する所望の情報の誤り訂正符号とを、ディジタル信号形態で同じ記録媒体に記録するに際し、再生側で正規のユーザに対してのみ暗号を解除して再生可能とするための、暗号解除情報を、所定数の記録トラック又は記録セクタ周期内で各トラック又は各セクタの全てに分散配置して少なくとも一つ記録することを特徴とする。
【０００９】
この発明では、誤り訂正符号の完結周期と少なくとも一つの暗号解除情報の伝送あるいは記録周期とが同じであるため、誤り訂正符号による所望の情報の誤り訂正と、暗号解除情報による暗号解除とが同時に行えると共に、所望の情報と暗号解除情報との誤り確率を同一にできる。
【００１０】
また、本発明の記録方法は、上記の目的を達成するため、少なくとも映像情報を含む暗号化した所望の情報と、この所望の情報の所定数の記録トラック又は記録セクタ周期で完結する所望の情報の誤り訂正符号とを、ディジタル信号形態で同じ記録媒体に記録する記録方法において、再生側で正規のユーザに対してのみ暗号を解除して再生可能とするための暗号解除情報を、所定数の記録トラック又は記録セクタ周期内で各トラック又は各セクタの全てに分散配置して少なくとも一つ記録することを特徴とする。
【００１１】
この発明では、誤り訂正符号の完結周期であるトラック数又はセクタ数と同じ数のトラック又はセクタに、少なくとも一つの暗号解除情報が記録されるため、記録媒体の再生側において誤り訂正符号による所望の情報の誤り訂正と、暗号解除情報による暗号解除とが同時に行えると共に、所望の情報と暗号解除情報との誤り確率を同一にできる。
【００１２】
また、本発明の記録媒体は、上記の目的を達成するため、少なくとも暗号化した映像情報が誤り訂正符号と共に固定長のデータブロック単位で予め定められたデータブロック数の各トラックに記録されているテープ状記録媒体であって、誤り訂正符号は所定数のトラック周期で完結するように記録されており、映像情報と誤り訂正符号の暗号化を正規の再生装置で解除するための暗号解除情報が、誤り訂正符号の完結トラックと同じトラック単位で完結するように、所定数のトラック周期内で各トラックの全てに分散配置されて記録されていることを特徴とする。
【００１３】
この発明では、暗号化されている所望の情報と暗号解除情報とは、誤り訂正符号の同一の完結周期内で再生あるいは伝送できる。
【００１４】
【発明の実施の形態】
次に、本発明の一実施の形態について図面と共に説明する。図１は本発明になる情報伝送方法及び記録方法の一実施の形態で、伝送、記録される暗号解除情報の信号中の配置説明図を示す。ここで、この実施の形態は、ディジタル信号形態の映像情報及び音声情報を、磁気テープに回転へッドにより記録再生するディジタルＶＴＲであるＤ-ＶＨＳ（登録商標）を例にとって説明する。このＤ−ＶＨＳでは、磁気テープには所望のコンテンツ情報がディジタル信号の形態でテープ長手方向に対して傾斜した長手方向を持つディジタル信号記録トラックに記録される。
【００１５】
この磁気テープ上に形成されるディジタル信号記録トラックは、図２に示すように、シンクブロック（ＳＢ）と称される一定量のデータエリアを、回転ヘッドの走査に従って複数個配置することにより構成される。すなわち、ディジタル信号記録トラックのトラックフォーマットは、図２に示す如く、２シンクブロックのマージン領域２１、３シンクブロックのプリアンブル領域２２、４シンクブロックのサブコード領域２３、３シンクブロックのポストアンブル領域２４、３シンクブロックのＩＢＧ領域２５、１シンクブロックのプリアンブル領域２６、３３６シンクブロックのメインコード領域（データ領域）２７、２シンクブロックのポストアンブル領域２８及びマージン領域２９から構成されており、情報の記録領域として、メインコード領域２７とサブコード領域２３の２領域を有している。
【００１６】
なお、マージン領域２９は回転ヘッドが取り付けられた回転体が、ドラムサーボにより３０ｒｐｓ又は２９．９７ｒｐｓで回転するように制御されるので、２シンクブロック又は２．３５６シンクブロックとされ、よって１トラック全体では３５６シンクブロック又は３５６．３５６シンクブロックで構成される。いずれの場合も、サブコード領域２３は４シンクブロック、メインコード領域２７は３３６シンクブロックで固定長に設定されている。メインコード領域２７には、例えばＭＰＥＧ(Moving Picture Experts Group)２のトランスポートストリームの１８８バイトの各パケットが隣接する２つのシンクブロックを単位として記録される。
【００１７】
上記の各シンクブロックのうち、メインコード領域２７におけるシンクブロックのフォーマットは、図３に示すように、そのシンクブロック再生のための２バイトの同期信号（Ｓｙｎｃ）の領域３１と、３バイトのアドレス情報（ＩＤ０、ＩＤ1、ＩＤ２）の領域３２と、様々な情報を格納する２バイトのメインヘッダ格納領域３３と、１バイトのデータ予備領域（ＤＡＴＡ−ＡＵＸ）３４と、９６バイトのデータ格納領域３５と、このシンクブロックの情報の誤り訂正のための８バイトの内部パリティ格納領域３６とが時系列的に合成された全部で１１２バイトの構成である。
【００１８】
データエリア９９バイトのうち、後９６バイトが情報のデータ格納領域３５である。メインヘッダ格納領域３３には、第１バイトの上位４ビットにフォーマット情報が、残りの下位４ビットと第２バイトの計１２ビットにシンクブロック情報が割り当てられて記録されている。
【００１９】
領域３２に記録される３バイトのアドレス情報（ＩＤ０、ＩＤ1、ＩＤ２）のうち、第３バイトのアドレス情報ＩＤ３は第１バイトと第２バイトのアドレス情報ＩＤ０とＩＤ1のパリティである。また、アドレス情報ＩＤ０は、図４に示すように、上位４ビットがシーケンスナンバー４１を、ビット３からビット１までの３ビットがトラックペアナンバー４２を示し、アドレス情報ＩＤ０の最下位ビットとアドレス情報ＩＤ1からなる計９ビットがシンクブロックナンバー４３を示す。
【００２０】
上記のシーケンスナンバー４１は、誤り訂正符号（ＥＣＣ）の繰り返し及び記録信号の周期を示すための番号で、ここでは、例えば６トラックで誤り訂正符号が完結するように記録されるものとすると、シーケンスナンバー４１は６トラック毎に値が増加していき、２４トラック周期で記録されるものとすると、２４トラックで値が一巡する。
【００２１】
なお、６トラックで誤り訂正符号が完結するように記録されるため、データと共に誤り訂正符号を構成するパリティ（外符号）は、１８０シンクブロックでデータシャフリングが行われ、そのうちの３０（＝１８０シンクブロック／６トラック）シンクブロックずつが各トラックの、図２に示したメインコード領域２７内に配置されて記録される。従って、メインコード領域２７は３０６シンクブロックのデータ（ディジタル映像信号など）と、３０シンクブロックのパリティ（外符号）とからなる。また、６トラックで完結する誤り訂正符号は、２０１６（＝３３６×６）シンクブロックからなる。
【００２２】
また、図４に示すトラックペアナンバー４２は、誤り訂正符号の完結ブロックを示すための番号で、この実施の形態が適用されるＶＴＲではアジマス記録を行うために、第１のアジマス角のトラックと、第２のアジマス角のトラックとが交互に配置されるため、これら隣接する第１及び第２のアジマス角のトラックに同一番号がペアトラックナンバーとして割り当てられる。
【００２３】
前述したように、ここでは誤り訂正符号が６トラックで完結するように記録されているので、上記のトラックペアナンバー４２は、１０進数で“０”、“１”、“２”を示す値がバイナリーコードで配置されて巡回的に繰り返される。なお、同一のトラックペアナンバーのそれぞれのトラックの識別は、アジマス角度が何かにより識別される。
【００２４】
更に、シンクブロックナンバー４３は、メインコード領域２７内の３３６シンクブロックのうちの何番目のシンクブロックであるかを識別させるための番号である。
【００２５】
さて、誤り訂正符号は、図３中のメインヘッダ領域３３以後のすべてのデータに内符号（インナーコードで、内部パリティ３６に相当）及び外符号（アウターコード）として適用されているが、６本のトラックにまたがって記録されるのは前述したように、メインコード領域２７内に配置される誤り訂正符号である。
【００２６】
そこで、この実施の形態では、上記の点に着目して、暗号解除情報を、この誤り訂正符号が完結する６トラック範囲に完結させてメインコード領域２７内に記録することにより、メインコード領域２７のデータの復号と同時に、暗号解除情報の復号ができ、しかも、メインコード領域２７のデータと暗号解除情報の誤り確率を同一にできるので、効率的な記録再生ができるようにしたものである。なお、暗号解除情報には、バージョン情報や検査情報なども含む。
【００２７】
次に、暗号解除情報の記録方法について更に詳細に説明する。メインコード領域２７は、図３に示したフォーマットのシンクブロックが３３６個からなり、このシンクブロックを構成するデータ予備領域３４に暗号解除情報が配置されて記録される。
【００２８】
データ予備領域３４は、図１に示すように、６シンクブロック（ＳＢ）を一周期として記録され（つまり６バイト単位で記録され）、一周期内の１番目のデータ予備領域３４にはパックヘッダＰＣ０が記録され、残りの２番目から６番目の計５つのシンクブロックの各データ予備領域３４にはパック情報ＰＣ１〜ＰＣ５が記録される。
【００２９】
ここで、本実施の形態では、図１に示したＰＣ０〜ＰＣ５の計６バイトの１パックのうち、１番目のパックヘッダＰＣ０は、特別な情報であり、例えば、タイムコード、プログラムナンバー、テキストデータ、ＴＯＣ情報、暗号解除情報などの識別を行う。ここでは、ＰＣ０のうち、１バイトの値が（１１１１，１ｘｘｘ）で表されるＰＣ０が、続くＰＣ１〜ＰＣ５に暗号解除情報が配置されていることを示すパックヘッダであり、ｘｘｘの部分がページ番号で、０００〜１０１までの６ページ（６トラック）で一つの暗号解除情報が記録される。
【００３０】
すなわち、この実施の形態では、ＰＣ０の値がそれぞれ（１１１１，１０００）、（１１１１，１００１）、（１１１１，１０１０）、（１１１１，１０１１）、（１１１１，１１００）、（１１１１，１１０１）である、各トラックの１パックのパック情報ＰＣ１〜ＰＣ５による計３０バイトで一つの暗号解除情報が分散記録されるので、他のパック情報に大きな影響を与えることがなく、また解読されにくいという効果もある。
【００３１】
また、上記の６ページ（６トラック）は、誤り訂正符号の完結単位である、トラックペアナンバーが０〜３である６トラックであり、暗号解除情報は誤り訂正符号の完結単位と同期して記録されるため、メインコード領域２７のデータの復号と同時に、暗号解除情報の復号ができると共に、メインコード領域２７のデータと暗号解除情報の誤り確率を同一にでき、また、処理の遅延時間を最小にできる。
【００３２】
なお、上記の実施の形態では、Ｄ−ＶＨＳを例にとって説明したが、本発明はこれに限定されるものではなく、誤り訂正符号は６トラック内に複数記録してもよく、また、他のディジタル信号記録再生装置にも適用できる。また、記録媒体は磁気テープに限定されるものではなく、光ディスクや磁気ディスクも適用可能であり、この場合は誤り訂正符号や暗号解除情報は、トラックに代えて所定のセクタ単位で完結するように記録する。
【００３３】
更には、本発明は、記録再生装置ではなく、例えばパーソナルコンピュータ等の情報機器により図２及び図３のフォーマットの信号が伝送される場合に、図１に示したように暗号解除情報が伝送信号中に挿入されている伝送方式にも適用可能である。また、暗号解除情報は、隣り合う誤り訂正符号の完結単位で、同じでも異なっていてもよい。
【００３４】
【発明の効果】
以上説明したように、本発明によれば、暗号解除情報が誤り訂正符号の完結周期内に分散して伝送あるいは記録されるため、暗号解除情報の解読を困難にでき、また、誤り訂正符号による所望の情報の誤り訂正と、暗号解除情報による暗号解除とが同時に行えるため、特にテープ状記録媒体に本発明を適用した場合は、テープの中途からでも短時間で再生情報を得ることができ、また、暗号化されている所望の情報と暗号解除情報との同期の問題を解決でき、同期できないときのデータの棄却を防止でき、また、その防止のための余分なメモリ等を不要にできる。
【００３５】
また、本発明によれば、所望の情報と暗号解除情報との誤り確率を同一にできるため、効率の良い記録再生ができる。更に、本発明によれば、暗号化されている所望の情報と暗号解除情報とは、誤り訂正符号の同一の完結周期内で記録あるいは伝送されるため、処理の遅延時間を最小にすることができ、再生応答の速い記録媒体を提供できる。
【図面の簡単な説明】
【図１】本発明方法により記録又は伝送される暗号化解除情報の一実施の形態の記録位置の説明図である。
【図２】本発明の記録トラックのフォーマットの一例を示す図である。
【図３】図２中のメインコード領域のデータブロックのフォーマットの一例を示す図である。
【図４】図３中のデータ予備領域の記録情報の一例を示す図である。
【符号の説明】
ＰＣ０  パックヘッダ
ＰＣ１〜ＰＣ５  ２バイト目から６バイト目のパック情報
２７  メインコード領域
３２  アドレス情報領域
３４  データ予備領域（Ｄａｔａ−ＡＵＸ）
３５  データ領域
３６  内部パリティ
４２  トラックペアナンバー
【図１】
0003740917.tif 000002
【図２】
0003740917.tif 000003
【図３】
0003740917.tif 000004
【図４】
0003740917.tif 000005